(57)【特許請求の範囲】
【請求項１】
情報処理装置の各部に電力を供給する電力供給部と、
前記電力供給部の電池容量が所定の基準値以下であるか否かを判定する電池容量判定手段と、
前記電池容量判定手段により前記電力供給部の電池容量が所定の基準値以下であると検出された場合、前記電力供給部の電池容量が低下した旨を報知する報知手段と、
位置情報を取得する取得手段と、
前記取得手段により取得された位置情報に基づいて、所定の行動パターンと一致するか否かを判定する行動パターン判定手段と、
前記行動パターン判定手段により前記所定の行動パターンと一致すると判定された場合、前記電力供給部の交換方法を選択するための選択画面を表示する選択画面表示手段と、
前記表示手段により表示された前記選択画面上にて交換方法の選択が指示された場合、交換方法の選択に従って外部から取得された交換情報を表示する交換情報表示手段と
を備えることを特徴とする情報処理装置。
【請求項２】
前記交換情報には、少なくとも、ショップ交換情報および郵送交換情報が含まれることを特徴とする請求項１に記載の情報処理装置。
【請求項３】
前記報知手段は、前記電力供給部の電池容量が低下した旨を表示する表示手段を備えることを特徴とする請求項１に記載の情報処理装置。
【請求項４】
前記電池容量判定手段は、モードごとに設定されている消費電流と、各モードの累積使用時間に基づいて電流の累積使用量を算出することを特徴とする請求項１に記載の情報処理装置。
【発明の詳細な説明】
【技術分野】
【０００１】
本発明は情報処理装置に係り、特に、各部に電力を供給する電池パックを好適に交換することができるようにした情報処理装置に関する。
【背景技術】
【０００２】
一般に、携帯電話機には適宜交換可能な電池パックが収納されており、この電池パックから携帯電話機の各部に必要な電力が供給される。近年、携帯電話機には、単なる通話による通信機能だけでなく、アドレス帳機能、メール機能や、Ｗｅｂページなどを閲覧することが可能なブラウザ機能の他、さらには地上波ディジタルワンセグ放送波を受信することができる機能などの多種多様な機能が搭載されるようになってきている。そのため、これまでの携帯電話機に比べて、１日に使用される電力消費は増加する傾向にあり、頻繁に電池パックを充電する必要が生じるようになってきている。
【０００３】
なお、使用している機器の電池や燃料を管理する技術として、例えば燃料スタンドで複数の燃料をカセット交換方式で効率的に供給する技術が知られている（例えば特許文献１参照）。特許文献１に提案されている技術によれば、スタンドの位置情報を含めた供給可能情報を車側にリアルタイムで流すことにより、複数の燃料があっても安全に、かつ、効率的に車に供給することが可能となる。また、電池の使用履歴を管理施設で一括管理することで、交換情報としてユーザの利便性を向上させることができる技術が知られている（例えば特許文献２参照）。
【特許文献１】特開２００６−１６８７０６号公報
【特許文献２】特開２００７−２９４１７２号公報
【発明の開示】
【発明が解決しようとする課題】
【０００４】
一般的に、電池パックからの供給電圧を常時検出し、検出された供給電圧が所定の基準値以下になると、ディスプレイに低電圧になった旨を表示するとともに、スピーカから低電圧アラーム（低電圧警報音）を出力する。これにより、携帯電話機の使用に伴う電力消費によって、携帯電話機の電池パックからの供給電圧が低下したことをユーザに報知し、ユーザに電池パックの充電時期を知らせることができる。
【０００５】
電池パックからの供給電圧は、電池の放電特性に従い、携帯電話機の使用時間に応じて低下していく。この電池の放電特性に変化がなければ、満充電にした状態から毎回ほぼ同じ使用時間で、供給電圧が所定の基準値に達すると考えられる。ところが、携帯電話機を長期間（例えば２年間など）使用していると、電池の放電特性自体が徐々に劣化していき、その結果、電池パックの電池容量（Ａｈ）が低下してしまう。このことは、携帯電話機を長期間使用すると、たとえ電池パックを満充電にしたとしても、新品のときに比べてより短い使用時間（例えば半分の使用時間など）で供給電圧が所定の基準値に達してしまうことを意味している。最近では、販売事業者の料金体系のなどとの関係から、１つの携帯電話機をユーザが使用する期間は長くなる傾向にあり、電池パックの電池容量の低下はユーザにとって大きな関心事となっている。
【０００６】
このような電池パックの電池容量の低下は、基本的には避けることが困難な現象であり、携帯電話機を長期間使用すれば、いずれの携帯電話機であっても生じ得る現象である。そのため、メーカや販売事業者側が電池容量の低下を抑制するために何らかの対策を事前に講じることは困難であり、電池容量の低下が徐々に生じはじめた後、事後的に、ユーザ側が電池パックの交換などの対処を行うしかない。
【０００７】
具体的には、電池容量の低下が著しいと感じると、ユーザは、販売事業者のショップに行き、電池パックごと交換してもらう。すなわち、ユーザは、低電圧アラームが頻繁に出ることや、電池残量表示にて、満充電にしても使用時間が短くなったことなどに気がつき、携帯電話機を使用するに際して電池容量が低下したことを不便であると感じると、まず、例えば携帯電話機からネットワークを介して携帯電話機のショップの位置を確認するか、あるいは、取扱説明書を見てショップの位置を確認する。そして、ユーザは、そのショップへ電池パックの交換をしてもらいに行く。交換された元の電池パックはショップを介してリサイクルされる。
【０００８】
しかしながら、このような場合、ユーザがまず電池パックの電池容量の低下に気がつき、その上で電池パックを交換しようとしなければならず、また、たとえ電池パックを交換しようとしたとしても、電池パックが交換できるショップを探す必要があり、電池容量の低下は個々のユーザの使い方で異なるものであるため、ユーザは電池パックの交換を不便なものであると感ぜざるを得なかった。
【０００９】
本発明は、このような状況に鑑みてなされたものであり、電池パックを交換する際の利便性を向上させることができる情報処理装置を提供することを目的とする。
【課題を解決するための手段】
【００１０】
本発明の情報処理装置は、上述した課題を解決するために、情報処理装置の各部に電力を供給する電力供給部と、電力供給部の電池容量が所定の基準値以下であるか否かを判定する電池容量判定手段と、電池容量判定手段により電力供給部の電池容量が所定の基準値以下であると検出された場合、電力供給部の電池容量が低下した旨を報知する報知手段とを備えることを特徴とする。
【発明の効果】
【００１１】
本発明によれば、電池パックを交換する際の利便性を向上させることができる。
【発明を実施するための最良の形態】
【００１２】
以下、本発明の実施の形態について、図面を参照しながら説明する。
【００１３】
図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１４】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１８】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１９】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。
【００２０】
なお、第１の筐体１２は、背面側に図示しない電池パック（図４の電池パック５４）が挿着されており、終話・電源キーがオン状態になると、電池パックから各回路部に対して電力が供給されて動作可能な状態に起動する。
【００２１】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図３のスピーカ５０）も設けられている。
【００２２】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。
【００２３】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２４】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２５】
図３は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２６】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２７】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２８】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２９】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００３０】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３１】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３２】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３３】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３４】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３５】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３６】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３７】
電源回路４４は、電池４３の出力を基に所定の動作電源電圧Ｖｃｃを生成して各回路部に供給する。電池４３は図示しない保護回路などを含めて電池パック５４を構成する。この電池パック５４は、携帯電話機１の第１の筐体１２の背面側の電池パック収納空間Ｓに収納されており、必要に応じて取り外し可能である。
【００３８】
また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００３９】
無線ＬＡＮ通信部５１は、内蔵されたアンテナ（図示せず）を介して、ＩＥＥＥ８０２．１１ａ／ｂ／ｇなどの所定の規格に準拠した無線ＬＡＮ通信を行う。電源電圧検出部５２は、電池パック５４の電源回路４４から供給される電源電圧を検出する。非接触ＩＣチップ５５は、携帯電話機１がＩＣリーダ／ライタ（図示せず）に近接され、そのＩＣリーダ／ライタ（図示せず）から輻射される電磁波を受信したとき、それに応じて、各種の情報を用いてＩＣリーダ／ライタ（図示せず）と無線通信を行う。
【００４０】
また、図示せぬＧＰＳ衛星からのＧＰＳ波（ＧＰＳ情報）は、ＧＰＳ用アンテナ５３で受信される。このＧＰＳ情報には、例えばそれぞれのＧＰＳ衛星からの発信時刻情報が含まれている。その後、このＧＰＳ情報はＣＤＭＡ信号処理部３６を経由して制御部４１に入力される。そして、制御部４１にて、取得されたＧＰＳ情報を用いて、携帯電話機１の現在地を示す位置情報（緯度経度の情報）が計算され（例えば３つ乃至４つのＧＰＳ情報から計算することが望ましい）、携帯電話機１の現在地を示す位置情報が求められる。なお、このＧＰＳ情報に基づいて求められる位置情報として緯度経度を取得することが一般的であるが、更に緯度経度に対応した住所情報を取得するようにしてもよい。なお、緯度経度に対応した住所情報を取得する際には、外部のサーバ（図示せず）などにアクセスして住所情報を得るようにしてもよい。従って、「ＧＰＳ測位に基づく位置情報」とはＧＰＳ情報から計算された位置情報（例えば緯度経度情報）や、その情報に対応する住所情報などの情報も含むものとする。
【００４１】
ところで、一般的に、電池パック５４からの供給電圧を常時検出し、検出された供給電圧が所定の基準値以下になると、メインディスプレイ１７に低電圧になった旨を表示するとともに、スピーカ５０から低電圧アラーム（低電圧警報音）を出力する。これにより、携帯電話機１の使用に伴う電力消費によって、携帯電話機１の電池パック５４からの供給電圧が低下したことをユーザに報知し、ユーザに電池パック５４の充電時期を知らせることができる。
【００４２】
具体的には、図５に示されるように、満充電にされた電池パック５４には例えば４．２Ｖ程度の電池電圧があるが、携帯電話機１の使用に伴って徐々に電池電圧が低下していく。図５の場合、所定の基準値としての低電圧警報電圧は約３．４Ｖに設定されており、時間の経過とともに電池パック５４の電池電圧が低下していき、この低電圧警報電圧に達すと、メインディスプレイ１７に低電圧になった旨のメッセージが表示されるとともに、スピーカ５０から低電圧アラームが出力される。
【００４３】
ここで、電池パック５４からの供給電圧は、電池の放電特性に従い、携帯電話機１の使用時間に応じて低下していく。すなわち、購入直後の新品の携帯電話機１においては、電池パック５４が有する電池の放電特性は図５に示される放電カーブαであり、満充電の状態から使用時間ｔ１が経過すると、電池パック５４の電池電圧が低電圧警報電圧に達する。
【００４４】
この電池の放電特性に変化がなければ、満充電の状態から毎回ほぼ同じ使用時間の経過で、供給電圧が所定の基準値に達すると考えられる。ところが、携帯電話機１を長期間（例えば２年間など）使用していると、電池の放電特性自体が徐々に劣化していき、その結果、電池パック５４の電池容量（Ａ／ｈ）が低下してしまう。すなわち、図５に示されるように、携帯電話機１を長期間（例えば２年間など）使用していると、例えば電池の放電特性が放電カーブαから放電カーブβに劣化してしまい、満充電の状態から使用時間ｔ２（ｔ１＞ｔ２）が経過後に、電池パック５４の電池電圧が低電圧警報電圧に達してしまう。このとき、例えば使用時間ｔ２＝ｔ１／２である場合には、放電カーブαのときの電池パック５４の電池容量が例えば７００（ｍＡ／ｈ）であるとすると、電池パック５４の電池容量が３５０（ｍＡ／ｈ）にまで低下してしまうこととなる。
【００４５】
従って、携帯電話機１を長期間使用すると、たとえ電池パック５４を満充電にしたとしても、新品のときに比べてより短い使用時間ｔ２（例えば半分の使用時間など）で供給電圧が所定の基準値（低電圧警報電圧）に達してしまう。最近では、販売事業者の料金体系のなどとの関係から、１つの携帯電話機１をユーザが使用する期間は長くなる傾向にあり、電池パック５４の電池容量の低下はユーザにとって大きな関心事となっている。
【００４６】
このような電池パック５４の電池容量の低下は、基本的には避けることが困難な現象であり、携帯電話機１を長期間使用すれば、いずれの携帯電話機１であっても生じ得る現象である。そのため、メーカや販売事業者側が電池容量の低下を抑制するために何らかの対策を事前に講じることは困難であり、電池容量の低下が徐々に生じはじめた後、事後的に、ユーザ側が電池パック５４の交換などの対処を行うしかない。
【００４７】
具体的には、電池容量の低下が著しいと感じると、ユーザは、販売事業者のショップに行き、電池パック５４ごと交換してもらう。すなわち、ユーザは、低電圧アラームが頻繁に出ることや、メインディスプレイ１７に表示される電池残量表示にて、満充電にしても使用時間が短くなったことなどに感覚的に気がつき、携帯電話機１を使用するに際して電池容量が低下したことを不便であると感じると、まず、例えば携帯電話機１から図示せぬネットワークを介して携帯電話機１のショップの位置を確認するか、あるいは、取り扱い説明書を見てショップの位置を確認する。そして、ユーザは、そのショップへ電池パック５４の交換をしてもらいに行く。交換された元の電池パック５４はショップを介してリサイクルされる。
【００４８】
しかしながら、このような場合、ユーザがまず電池パック５４の電池容量の低下に感覚的に気がつき、その上で電池パック５４を交換しようとしなければならず、また、たとえ電池パック５４を交換しようとしたとしても、電池パック５４が交換できるショップを探す必要があり、ユーザは電池パック５４の交換を不便なものであると感ぜざるを得なかった。
【００４９】
そこで、電池パック５４の電池容量の低下を検出すると、電気容量の低下の旨をユーザに報知するようにする。このとき、ユーザの過去の行動パターンと現在地に応じて、電池パック５４の好適な交換方法に関する情報を合わせて表示するようにする。これにより、電池パック５４を交換する際の利便性を向上させることが可能である。以下、この方法を用いた電池容量低下報知処理について説明する。
【００５０】
図６のフローチャートを参照して、図３の携帯電話機１における電池容量低下報知処理について説明する。この電池容量低下報知処理は、通常の携帯電話機１における動作と並行して実行される。
【００５１】
ステップＳ１において、電源電圧検出部５２は、電池パック５４の電池４３から供給される電源電圧を検出し、検出された電源電圧に関する値を制御部４１に出力する。ステップＳ２において、制御部４１は、電源電圧検出部５２からの電源電圧に関する値が、予め設定された所定の基準値以下であるか否かを判定し、この電源電圧に関する値が、予め設定された所定の基準値以下であると判定するまで待機する。例えば所定の基準値は、図５に示される低電圧警報電圧（３．４Ｖ）などに設定されるが、このような値に限られず、電池容量を推定できる任意の値に定めることが可能である。
【００５２】
ここで、図５に示される放電カーブ（放電カーブαやβ）は一定消費電流下におけるカーブであり、実際に携帯電話機１を使用した場合における放電カーブはそれほど単純ではない。携帯電話機１の消費電流は、例えば待ち受け画面表示時や、通話時、無線ＬＡＮ通信部５１の使用時、ＧＰＳ用アンテナ５３によるＧＰＳ受信時、地上波ディジタルワンセグ受信部４８にて地上波ディジタルワンセグ放送波の受信時などの各モードによって異なる。そこで、モードごとの消費電流（ｍＡ）と満充電後からのモードごとの累積使用時間（ｈ）から電流の累積使用量（ｍＡｈ）を算出するようにする。
【００５３】
ステップＳ２において制御部４１が、電源電圧検出部５２からの電源電圧に関する値が、予め設定された所定の基準値以下であると判定した場合、制御部４１はステップＳ３で、直近にて図示せぬコネクタを介して電池パック５４を満充電した後からの電流の累積使用量（ｍＡｈ）を算出する。具体的には、制御部４１は、モードごとの既知の消費電流（ｍＡ）と満充電後からのモードごとの累積使用時間（ｈ）から電流の累積使用量（ｍＡｈ）を算出する。
【００５４】
ステップＳ４において、制御部４１は、記憶部４２に予め記憶されている電池容量基準値テーブルを読み出す。この電池容量基準値テーブルの構成例は、図７に示される。図７の例の場合、供給電圧ｘ（Ｖ）と累積使用量ｙ（ｍＡｈ）と電池容量ｚ（ｍＡｈ）とは対応付けられて登録されており、例えば供給電圧ｘ（Ｖ）が所定の基準値である低電圧警報電圧３．４（Ｖ）以下である場合に、累積使用量ｙ（ｍＡｈ）がＡ１≦ｙ≦Ａ２であるとき、電池容量ｚはｚ≦４００ｍＡｈ（例えば７００ｍＡｈが最大の電池容量とした場合、４／７の電池容量である）となることを示している。
【００５５】
ステップＳ５において、制御部４１は、読み出された電池容量基準値テーブルを参照して、検出された供給電圧と、算出された電流の累積使用量とに基づいて、電池容量が予め設定された電池容量に関する所定の基準値（図７の例の場合、４００ｍＡｈ）以下であるか否かを判定する。具体的には、供給電圧が所定の基準値（例えば３．４Ｖ）以下であると判定された場合に、算出された累積使用量（ｍＡｈ）が図７に示されるＡ１≦ｙ≦Ａ２であるときには、電池容量が予め設定された電池容量に関する所定の基準値（図７の例の場合、４００ｍＡｈ）以下であると判定される。なお、携帯電話機１の使用に伴う電流の累積使用量を算出する際、すべてのモードを考慮して計算することは困難であるが、電池容量の低下は急激に生ずるものではなく、長時間かけて徐々に劣化することから、電池容量基準値テーブルに登録される累積使用量の値にある程度の幅をもたせることで、電池容量の低下の検出誤差を防止することができる。あるいは、累積使用量と推定した電池容量の両方の情報を用いて判断してもよい。
【００５６】
ステップＳ５において制御部４１が、電池容量が予め設定された電池容量に関する所定の基準値以下ではないと判定した場合、電池容量が所定の基準値よりも大きく、電池パック５４の電池容量の低下はそれほど大きくなく、処理はステップＳ１に戻り、ステップＳ１以降の処理が繰り返し実行される。これにより、電池パック５４の電池容量の低下が検出されるまで、電池容量の低下検出処理が繰り返し実行される。
【００５７】
ステップＳ５において制御部４１が、電池容量が予め設定された電池容量に関する所定の基準値以下であると判定した場合、制御部４１はステップＳ６で、ＧＰＳ機能を起動し、ＧＰＳ用アンテナ５３を用いて、図示せぬＧＰＳ衛星からのＧＰＳ波（ＧＰＳ情報）を受信させる。このＧＰＳ情報には、例えばそれぞれのＧＰＳ衛星からの発信時刻情報が含まれている。制御部４１は、取得されたＧＰＳ情報を用いて、携帯電話機１の現在地を示す位置情報（緯度経度の情報）を計算し、携帯電話機１の現在地を示す位置情報を求め、ＧＰＳ測位に基づく位置情報と時刻情報とを関連付けて取得する。なお、ＧＰＳ波に基づく位置情報に限られず、例えば基地局からの携帯電話機１に送信される基地局位置情報（エリアコード）を用いるようにしてもよい。
【００５８】
ステップＳ７において、制御部４１は、記憶部４２に記憶されている位置情報履歴テーブルを読み出す。この位置情報履歴テーブルには、ＧＰＳ用アンテナ５３を用いて定期的もしくはイベントの発生ごとに時系列的に取得されたＧＰＳ測位に基づく位置情報及び時刻情報が、携帯電話機１を所有するユーザが日常にて移動する位置に関する位置情報の履歴として登録されており、この位置情報履歴テーブルは例えば図８に示される。
【００５９】
図８に示されるように、通常行動のパターンでユーザが日常にて移動する位置に関する位置情報および時刻情報が時系列的に登録されている。勿論、場所名（「自宅」や「会社」など）をユーザが任意に設定するようにしてもよいし、時系列的な移動が例えば「通勤」なのか「通学」なのかを設定するようにしてもよい。また、平日と休日を分けて登録するようにしてもよいし、スケジュール機能を参照して１月に一度出張しに行く場所の位置情報もその日に対応付けて登録するようにしてもよい。
【００６０】
ステップＳ８において、制御部４１は、読み出された位置情報履歴テーブルを参照し、取得されたＧＰＳ測位に基づく位置情報などに基づいて、ユーザが取る通常の行動パターンと一致するか否かを判定する。具体的には、取得されたＧＰＳ測位に基づく位置情報から携帯電話機１の現在地が例えば豊田駅の周辺である場合、「通勤」途中であり、ユーザが取る通常の行動パターンと一致すると判定される。
【００６１】
ステップＳ８において制御部４１が、ユーザが取る通常の行動パターンと一致しないと判定した場合、制御部４１はステップＳ９で、メインディスプレイ１７を制御し、電池容量が低下したことを示すアイコンをメインディスプレイ１７に表示させる。メインディスプレイ１７は、制御部４１の制御に従い、例えば図９（Ａ）に示されるように、電池容量が低下したことを示すアイコンを表示する。図９（Ａ）の例の場合、電池残量を示すアイコンの右隣りに、電池容量が低下したことを示す電池容量低下アイコン６１が表示され、例えば５０％などと表示される。これにより、ユーザは、長期間の使用により、電池パック５４の電池容量が劣化し、新品のときに比べてほぼ５０％程度に低下してしまったことを知ることができる。なお、このとき、図９（Ｂ）に示されるように、「電池容量が２週間後には５０％になります。」などというメッセージも同時に表示するようにしてもうよい。なお、ユーザに電池容量の低下を報知することができさえすればよく、図示せぬ発光素子を用いて報知するようにしてもよいし、スピーカ５０を用いて「電池容量が２週間後には５０％になります。」などのメッセージに対応する音声を出力するようにしてもよい。
【００６２】
一方、ステップＳ８において制御部４１が、ユーザが取る通常の行動パターンと一致すると判定した場合、制御部４１はステップＳ１０で、メインディスプレイ１７を制御し、電池容量が低下した電池パック５４を交換する方法を選択させるための交換方法選択画面をメインディスプレイ１７に表示させる。メインディスプレイ１７は、制御部４１の制御に従い、例えば図１０（Ａ）に示されるように、交換方法選択画面を表示する。
【００６３】
図１０（Ａ）の場合、メインディスプレイ１７の表示画面上に、「電池容量が２週間後には５０％になります。交換を希望する場合は以下を選択して下さい。」というメッセージ６２とともに、「ショップで交換」というボックス６３と、「郵送を希望」というボックス６４が表示される。ユーザは、操作キー１４を操作することで、交換方法選択画面上にていずれかのボックスを選択することで、販売事業者のお店にて電池パック５４を交換するのか、あるいは、販売事業者からの郵送（宅配便など）にて交換するのかを選択することができる。
【００６４】
ステップＳ１１において、制御部４１は、メインディスプレイ１７上の交換方法選択画面にてショップでの交換のボックス６３が選択されることで、ショップでの交換が選択されたか否かを判定する。ステップＳ１１において制御部４１が、ショップでの交換が選択されたと判定した場合、制御部４１はステップＳ１２で、アンテナ３１などを介して図示せぬ基地局経由で販売事業者が管理するサーバ（図示せず）に接続する。このとき、制御部４１は、アンテナ３１などを介してサーバにショップでの交換を示すデータをユーザを識別するための識別情報（例えば携帯電話機１の電話番号やユーザ名などを含む情報）とともに送信する。なお、このとき、携帯電話機１は、サーバに電池パック５４の交換依頼の情報を送信し、ユーザは、電池パック５４を交換するショップに電池パック５４の交換を予め依頼するようにしてもよい。
【００６５】
ステップＳ１３において、制御部４１は、アンテナ３１などを介してサーバからショップに関するショップ交換情報を取得する。このショップに関するショップ交換情報には、例えばユーザが現在いる豊田駅周辺に存在するショップの位置と営業時間や電池パック５４の在庫数などに関する情報が含まれている。なお、これ以外にも、電池パック５４を交換する際に、ユーザが知りたいと考える情報を適宜含めるようにしてもよい。
【００６６】
ステップＳ１４において、制御部４１は、メインディスプレイ１７を制御し、サーバから取得されたショップ交換情報をメインディスプレイ１７に表示させる。メインディスプレイ１７は、制御部４１の制御に従い、例えば図１０（Ｂ）に示されるように、ショップ交換情報を表示する。図１０（Ｂ）の場合、「最寄のショップは豊田駅南口ショップです。通勤途中に朝９：００に寄れば、５分で交換可能です。  営業時間８：３０〜１９：３０  在庫数１１個」などのメッセージ６５が表示される。これにより、ユーザは、朝の９時に豊田駅南口ショップに行けば、５分で電池パック５４の交換ができることを知ることができる。その後、処理はステップＳ９に進み、ステップＳ９において例えば図９（Ａ）などに示される電池容量低下アイコンが表示される。
【００６７】
一方、ステップＳ１１において制御部４１が、ショップでの交換が選択されたと判定した場合、制御部４１はステップＳ１５で、メインディスプレイ１７上の交換方法選択画面にて郵送での交換のボックス６４が選択されることで、郵送での交換が選択されたか否かを判定する。ステップＳ１５において制御部４１が、郵送での交換が選択されたと判定した場合、制御部４１はステップＳ１６で、アンテナ３１などを介して図示せぬ基地局経由で販売事業者が管理するサーバに接続する。ステップＳ１７において、制御部４１は、アンテナ３１などを介してサーバにユーザを識別するための識別情報（例えば携帯電話機１の電話番号やユーザ名などを含む情報）を送信する。
【００６８】
そして、サーバは、図示せぬ基地局経由で携帯電話機１からのユーザを識別するための識別情報を受信し、受信されたユーザを識別するための識別情報に基づいて、電池パック５４の郵送を希望しているユーザを特定するとともに、郵送交換に関する情報を携帯電話機１に送信する。この郵送交換に関する情報には、例えば何日後に自宅に届くか、また、交換料金に関する情報などが含まれている。
【００６９】
ステップＳ１８において、制御部４１は、アンテナ３１などを介してサーバからショップに関するショップ交換情報を取得する。ステップＳ１９において、制御部４１は、メインディスプレイ１７を制御し、サーバから取得された郵送交換に関する情報をメインディスプレイ１７に表示させる。メインディスプレイ１７は、制御部４１の制御に従い、例えば図１０（Ｃ）に示されるように、郵送交換に関する情報を表示する。図１０（Ｃ）の場合、「３日後にご自宅に届きます。料金は○○○○円です。何か不明な点がありましたら、豊田駅南口ショップまでご連絡ください。」などのメッセージ６６が表示される。これにより、ユーザは、３日後に電池パック５４が自宅に郵送で届くことを知ることができる。その後、処理はステップＳ９に進み、ステップＳ９において例えば図９（Ａ）などに示される電池容量低下アイコンが表示される。
【００７０】
ステップＳ１５において制御部４１が、郵送での交換が選択されていないと判定した場合、制御部４１はステップＳ２０で、交換方法選択画面が表示されてから予め設定された所定の時間（例えば５分間など）が経過したか否かを判定する。ステップＳ２０において制御部４１が、交換方法選択画面が表示されてから予め設定された所定の時間（例えば５分間など）が経過していないと判定した場合、処理はステップＳ１１に戻り、ステップＳ１１以降の処理が繰り返し実行される。これにより、交換方法選択画面が表示されてから予め設定された所定の時間（例えば５分間など）が経過するまで、ユーザは交換方法の選択を行うことができる。
【００７１】
一方、ステップＳ２０において制御部医４１が、交換方法選択画面が表示されてから予め設定された所定の時間（例えば５分間など）が経過したと判定した場合、ユーザによって交換方法の選択が行われなかったものとし、処理はステップＳ９に進み、ステップＳ９において例えば図９（Ａ）などに示される電池容量低下アイコンが表示される。
【００７２】
本発明の実施形態においては、携帯電話機１の各部に電力を供給し少なくとも電力供給部からの供給電圧と、算出された電流の累積使用量とに基づいて、電力供給部の電池容量が所定の基準値以下であるか否かを判定し、電力供給部の電池容量が所定の基準値以下であると検出された場合、電力供給部の電池容量が低下した旨を報知することができる。これにより、ユーザは、長期間の使用により、電池パック５４の電池容量が劣化し、新品のときに比べて低下してしまったことを知ることができ、電池パック５４の電池容量の低下に伴うユーザクレームを削減することができる。
【００７３】
また、ＧＰＳ測位に基づく位置情報または基地局に関する位置情報を取得し、取得されたＧＰＳ測位に基づく位置情報または基地局に関する位置情報に基づいて、ユーザの通常の行動パターンと一致するか否かを判定し、ユーザの通常の行動パターンと一致すると判定された場合、電力供給部の交換方法を選択するための選択画面を表示し、表示された選択画面上にて交換方法の選択が指示された場合、交換方法の選択に従って外部から取得された交換情報を表示することができる。これにより、ユーザの現在の行動パターンに応じた交換情報をユーザに提示することができる。従って、電池パック５４が交換できるショップを探す必要がなくなり、電池パック５４を交換する際の利便性を向上させることができる。
【００７４】
なお、電池パック５４の交換の際に用いられるショップ交換情報と郵送交換情報を、「交換情報」と定義する。
【００７５】
なお、ユーザが取る通常の行動パターンであるか否かを判定する際、ＧＰＳ測位に基づく位置情報を用いたが、このような場合に限られず、例えばユーザが非接触式ＩＣチップ５５をＩＣカードとして用いている場合に、例えば会社の入出管理情報や、支払をした店の名前、交通機関の入出情報などが非接触式ＩＣチップ５５に保存されていることから、この情報に基づいて、ユーザが取る通常の行動パターンであるか否かを判定するようにしてもよい。勿論、携帯電話機１の目覚し機能が用いられている場合、設定されている目覚まし設定時間を用いて現在ユーザが自宅にいるのかなどを判断するようにしてもよい。
【００７６】
また、ユーザによっては電池パック５４を複数用いる場合が想定されることから、累積使用量を算出するに際し、いずれかの電池パック５４であるか否かを電池パック５４に内蔵されるＲＦＩＤなどを用いて判別した上で、累積使用量を正確に算出するようにしてもよい。
【００７７】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００７８】
また、本発明の実施形態において説明した一連の処理は、ソフトウェアにより実行させることもできるが、ハードウェアにより実行させることもできる。
【００７９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００８０】
【図１】本発明に係る情報処理装置に適用可能な携帯電話機の外観の構成を示す図。
【図２】本発明に係る情報処理装置に適用可能な携帯電話機の他の外観の構成を示す図。
【図３】本発明に係る情報処理装置に適用可能な携帯電話機の内部の構成を示すブロック図。
【図４】電池パックの収納方法を説明する説明図。
【図５】電池パックの電池容量の低下を示す図。
【図６】図３の携帯電話機における電池容量低下報知処理を説明するフローチャート。
【図７】図３の記憶部に記憶されている電池容量基準値テーブルの構成例を示す図。
【図８】図３の記憶部に記憶されている位置情報履歴テーブルの構成例を示す図。
【図９】（Ａ）および（Ｂ）は、メインディスプレイに表示される表示例を示す図。
【図１０】（Ａ）乃至（Ｃ）は、メインディスプレイに表示される表示例を示す図。
【符号の説明】
【００８１】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…電池、４４…電源回路、４５…外部メモリインタフェース、４６…メモリカード、４７…時計回路、４８…地上波ディジタルワンセグ受信部、４９…地デジ処理部、５０…スピーカ、５１…無線ＬＡＮ通信部、５２…電源電圧検出部、５３…ＧＰＳ用アンテナ、５４…電池パック、５５…非接触式ＩＣチップ。
【図１】
0005286901.tif 000002
【図２】
0005286901.tif 000003
【図３】
0005286901.tif 000004
【図４】
0005286901.tif 000005
【図５】
0005286901.tif 000006
【図６】
0005286901.tif 000007
【図７】
0005286901.tif 000008
【図８】
0005286901.tif 000009
【図９】
0005286901.tif 000010
【図１０】
0005286901.tif 000011